(57)【要約】【課題】  本発明は、熱で発電する発電素子によって、被発酵物の発酵の際に発生する熱エネルギーを電力に変換する簡易的な発電システムを提供するとともに、発電した電力を発酵物の製造工程等に有効活用できるようにする発電システムを提供することを目的とする。【解決手段】  本発明は、発酵熱を発生する被発酵物と、熱で発電する発電素子とを備え、被発酵物の発酵熱によって発電に必要な熱量を得る、発電システムに関する。本発明は、さらに、発電素子を耐食材料で封止した発電システムであることが好ましい。【選択図】図４
2016213909.tif 000002
【特許請求の範囲】
【請求項１】
発酵熱を発生する被発酵物と、熱で発電する発電素子とを備え、被発酵物の発酵熱によって発電に必要な熱量を得る、発電システム。
【請求項２】
発電素子を耐食材料で封止した、請求項１に記載の発電システム。
【請求項３】
被発酵物を発酵させるための発酵槽を備え、発酵槽の内壁に発電素子を設置した、請求項１または２に記載の発電システム。
【請求項４】
発電素子が、正極と負極との間に、ｐ型半導体およびｎ型半導体を有する、請求項１〜３のいずれかに記載の発電システム。
【請求項５】
被発酵物が、堆肥を製造するための原料であり、家畜糞尿、木材、生ごみ、籾殻、米糠、落葉、および藁からなる群より選ばれる、請求項１〜４のいずれかに記載の発電システム。
【請求項６】
被発酵物が、発酵食品を製造するための原料であり、穀物、果物、乳製品、魚介、野菜、茶葉、および芋からなる群より選ばれる、請求項１〜４のいずれかに記載の発電システム。
【発明の詳細な説明】
【技術分野】
【０００１】
本発明は、発酵熱を用いた発電システムに関する。
【背景技術】
【０００２】
発電素子の代表的なものとして、熱電発電素子、太陽光発電素子、温度差発電素子等が知られている。熱電発電素子は、熱と電力を変換する熱電素子の一種であり、２種類の異なる金属又は半導体を接合して、両端に温度差を生じさせると起電力が生じるゼーベック効果を利用するものである。この熱電発電素子は、温度差によって大きな電位差を得るためにｐ型半導体、ｎ型半導体を組み合わせて使用される。また、太陽光発電素子は、光起電力効果を利用し、光エネルギーを直接電力に変換するものであり、光電池とも呼ばれる。この太陽光発電素子は、一般的な一次電池や二次電池のように電力を蓄える蓄電池ではなく、光起電力効果によって光を電力に変換して出力する発電機であり、シリコン太陽電池、化合物半導体型太陽電池、色素増感型太陽電池等が知られている。また、温度差発電素子は、２種類の異なった半導体を用いた熱電変換素子（ペルチェ素子）を使用して、熱起電力を発生させるものである。
【０００３】
ところで、被発酵物が発酵する際には発酵熱が発生するが、この発酵熱における熱エネルギーは有効活用されずに放熱されて失われていた。また、堆肥などの被発酵物の発酵に際しては、９０℃近くまで被発酵物の温度が上昇し、その温度が数ヶ月にわたり維持される場合もあるが、そのような場合にも、この熱エネルギーは有効活用されず、放熱されて失われていた。なお、被発酵物とは、最終的な発酵物となる前の原料および発酵過程にある原料を意味しており、発酵熱を発生し得る発酵用原料を意味する。
【０００４】
上記の問題を解決するために、例えば、堆肥の発酵熱を利用して発電を行う温度差発電装置が提案されている（例えば、特許文献１参照）。しかし、このような発電装置は、発電のために冷却機構を必要とするため、発電装置の構造が複雑になったり、構造の複雑化に伴って発電装置が大型化してしまったりすること等により、被発酵物の発酵態様に併せて発電を行う発電システムを構成するには不向きであるという問題があった。
【先行技術文献】
【特許文献】
【０００５】
【特許文献１】特開２００５−２０４４４２号公報
【発明の概要】
【発明が解決しようとする課題】
【０００６】
本発明は、熱で発電する発電素子によって、被発酵物の発酵の際に発生する熱エネルギーを電力に変換する簡易的な発電システムを提供するとともに、発電した電力を発酵物の製造工程等に有効活用できるようにする発電システムを提供することを目的とする。
【課題を解決するための手段】
【０００７】
本発明は、発酵熱を発生する被発酵物と、熱で発電する発電素子とを備え、被発酵物の発酵熱によって発電に必要な熱量を得る、発電システムに関する。
【０００８】
本発明は、さらに、発電素子を耐食材料で封止した、発電システムであることが好ましい。
【０００９】
本発明は、さらに、被発酵物を発酵させるための発酵槽を備え、発酵槽の内壁に発電素子を設置した、発電システムであることが好ましい。
【００１０】
本発明は、さらに、発電素子が、正極と負極との間に、ｐ型半導体およびｎ型半導体を有する、発電システムであることが好ましい。
【００１１】
本発明は、さらに、被発酵物が、堆肥を製造するための原料であり、家畜糞尿、木材、生ごみ、籾殻、米糠、落葉、および藁からなる群より選ばれる、発電システムであることが好ましい。
【００１２】
本発明は、さらに、被発酵物が、発酵食品を製造するための原料であり、穀物、果物、乳製品、魚介、野菜、茶葉、および芋からなる群より選ばれる、発電システムであることが好ましい。
【発明の効果】
【００１３】
本発明の発電システムによれば、被発酵物の発酵の際に発生する熱エネルギーを、熱で発電する発電素子によって、電力に変換することができるとともに、発電した電力を発酵物の製造工程等において有効活用することにより、発酵物の製造工程等にかかる電力の省エネルギー化を実現することができる。
【図面の簡単な説明】
【００１４】
【図１】本発明の発電システムに用いる発電素子の一例を示す模式的な構成図である。
【図２】本発明の発電システムに用いる発電素子の一例を示す模式的な構成図である。
【図３】本発明の発電システムの一例を示す模式的な構成図である。
【図４】本発明の発電システムの一例を示す模式的な構成図である。
【図５】本発明の発電システムの一例を示す模式的な構成図である。
【図６】本発明の発電システムの一例を示す模式的な構成図である。
【００１５】
［発電素子］
以下、本発明の発電システムに用いる発電素子について、図面を用いて説明するが、本発明に用いる発電素子はこれに限定されない。
【００１６】
本発明に用いる発電素子１０は、正極１と負極５との間に、ｐ型半導体と、ｎ型半導体とを有するものであれば、特に限定されず、正極１と負極５との間に、さらに、強誘電体を有するものであってもよく、強誘電体を有さないものであってもよい。本発明に用いる発電素子１０としては、例えば、図１に示すように、正極１と、ｐ型半導体層２と、強誘電体層３と、ｎ型半導体層４と、負極５とがその順で配置された構造形態を有することが好ましい。また、図２に示すように、ｐ型半導体層２と、強誘電体層３と、ｎ型半導体層４とは、接触界面を増やすために、混合したヘテロジャンクション構造をとっていてもよい。こうした発電素子１０は、従来の発電素子とは異なる新しい発電素子であり、高い電流を発生する発電現象を起こす。特に恒温槽中で常温（例えば２５℃）から昇温することにより実現できる。
【００１７】
以下、本発明に用いる発電素子１０の構成について説明する。
【００１８】
（正極、負極）
正極１および負極５は、導電性材料であり、正極１の仕事関数が負極５の仕事関数と同じか高い材料を用いる。正極１の仕事関数が負極５の仕事関数より高い方が望ましい。正極１としては、銅、銅合金、ＳＵＳ４３０等のステンレス鋼、錫めっき銅、銀、白金、金等を一例として挙げることができるが、これらの材料は、仕事関数を考慮して決定することができ、列記した前記正極材料に限定されない。負極５は、正極１とは異なる材料であればよく、例えば、アルミニウムまたはアルミニウム合金、Ｍｇ−Ａｌ等のマグネシウム合金等の金属材料や、インジウム錫酸化物（ＩＴＯ）等の導電性酸化物材料等を挙げることができるが、これらの材料は、仕事関数を考慮して決定することができ、列記した前記負極材料に限定されない。
【００１９】
正極１および負極５の形状も特に限定されず、発電素子１０の形状に応じた形状に加工することができる。例えば、発電素子１０が、平面配置型用の発電素子１０である場合には、正極１と負極５とを、ｐ型半導体層２、強誘電体層３およびｎ型半導体層４を挟んで対向配置して構成できる。なお、この平面配置型の発電素子１０は、正極１と負極５とを順次直列接続して直列配置型の発電素子複合体にしたり、正極１と負極５とを順次並列接続して並列配置型の発電素子複合体にしたりすることができる。また、発電素子１０を、乾電池型用の発電素子としてもよく、その場合は、中心を負極棒とし、周りを正極管として構成できる。
【００２０】
（ｐ型半導体層）
ｐ型半導体層２は、ポリ（３，４−エチレンジオキシチオフェン）−ポリ（スチレンスルホン酸）、ポリ（３，４−エチレンジオキシチオフェン）−ポリ（ビニルスルホン酸）、ポリアニリン、ポリピロール、ポリチオフェン、ポリ（ｐ−フェニレン）、ポリフルオレン、ポリ（ｐ−フェニレンビニレン）、ポリチエニレンビニレン、グラフェン、ＣｕＡｌＯ２、ＣｕＧａＯ２、ＬｉＮｉＯ２から選ばれるｐ型半導性高分子であることが好ましい。なお、ホール伝導が観測されれば、列記したｐ型半導体材料に限定されない。
【００２１】
ｐ型半導体層２の厚さは、発電素子１０の作製方法によって異なり、特に限定されないが、例えば１０μｍ以上、１０００μｍ以下の範囲内であることが好ましい。なお、発電素子１０中でのｐ型半導体層２の境界は、そのｐ型半導体特性を奏する限り、図１に示すようにはっきり区分けされていてもよいし、図２に示すように、ｐ型半導体層２が強誘電体層３とｎ型半導体層４ともに、接触界面を増やすために、混合したヘテロジャンクション構造をとっていてもよい。したがって、上記の厚さ範囲も、ｐ型半導体層２の作用を奏する範囲での厚さとして表すことができる。
【００２２】
（強誘電体層）
強誘電体層３は、チタン酸バリウム、チタン酸ジルコン酸鉛、チタン酸鉛、ジルコン酸鉛、チタン酸ビスマスランタン、チタン酸カドミウム、ニオブ酸リチウム、タンタル酸リチウム、ビスマスフェライト、およびリチウムドープ酸化亜鉛から選ばれるいずれかの粒子を含むことが好ましい。なお、強誘電性が観測されれば、列記した強誘電性材料に限定されない。強誘電体層３は、前記材料の１種を単独で用いてもよいし、２種以上を用いてもよい。この強誘電体層３は、強誘電性を有する層であり、強誘電性を有するので発電をし、また、その強誘電体層３がさらにｎ型半導性を有する場合には電子（キャリア）の移動も容易であり、発電素子の構成要素として極めて望ましい。
【００２３】
強誘電体粒子の形状や粒径は特に限定されないが、全体的な形状が球形状または略球形状、楕円形状または略楕円形状であればよく、その表面がなめらかでも凹凸であってもよい。強誘電体粒子の平均粒径は、入手の容易さや素子作製上の問題がない範囲で各種の大きさのものを選択することができるが、平均粒径の大きいものほど誘電率も高いので好ましく用いることができる。また、強誘電体粒子の平均粒径を所望の値に設定することにより、表面積をコントロールできるという利点がある。強誘電体粒子の平均粒径は、原料の段階では走査型電子顕微鏡（ＳＥＭ）によって測定することができ、強誘電体層３を構成した後も走査型電子顕微鏡（ＳＥＭ）によって測定することができる。
【００２４】
強誘電体層３は、強誘電体粒子で構成されているが、本発明に用いる発電素子の効果を阻害しない範囲で、強誘電性を有する他の無機物を含んでいてもよい。また、本発明に用いる発電素子の効果を阻害しない範囲で、導電性やｎ型半導性を有する他の無機物を含んでいてもよい。
【００２５】
（ｎ型半導体層）
ｎ型半導体層４は、酸化スズ、アンチモンドープ酸化スズ、フッ素ドープ酸化スズ、ガリウムドープ酸化亜鉛、アルミドープ酸化亜鉛、ニオブドープチタン酸ストロンチウム、および酸化カルシウムドープ酸化ジルコニウムから選ばれるいずれかの粒子を含むことが好ましい。なお、電子伝導が観測されれば、列記したｎ型半導体材料に限定されない。この粒子は、ｎ型半導体粒子であり、１種を単独で用いてもよいし、２種以上を用いてもよい。
【００２６】
ｎ型半導体粒子の粒子形状や粒径は特に限定されないが、全体的な形状が球形状または略球形状、楕円形状または略楕円形状であればよく、その表面がなめらかでも凹凸であってもよい。ｎ型半導体粒子の平均粒径は、入手の容易さや素子作製上の問題がない範囲で各種の大きさのものを選択することができるが、平均粒径の大きいものほど導電率が高いので好ましく用いることができる。また、ｎ型半導体粒子の平均粒径を所望の値に設定することにより、表面積をコントロールできるという利点がある。ｎ型半導体粒子の平均粒径は、原料の段階では走査型電子顕微鏡（ＳＥＭ）によって測定することができ、ｎ型半導体層４を構成した後も走査型電子顕微鏡（ＳＥＭ）によって測定することができる。
【００２７】
ｎ型半導体層４は、ｎ型半導体粒子で構成されているが、本発明の効果を阻害しない範囲で、ｎ型になり得る他の無機物を含んでいてもよい。
【００２８】
ｎ型半導体層４の抵抗は特に限定されないが、例えば２Ω以上、７Ω以下程度の範囲内が好ましい。ｎ型半導体層４をこうした範囲の抵抗にすることによって、内部インピーダンスを下げて電流を取り出しやすくするという利点がある。ｎ型半導体層４の抵抗は、ＬＣＲハイテスタによって測定することができる。ｎ型半導体層４の抵抗が２ｋΩ未満の場合、より具体的には例えば１ｋΩ未満や１００ｋΩ未満の場合は、そのｎ型半導体層４上に設けられる導電性のｐ型半導体層２がｎ型半導体層４中に浸入してショート状態になってしまい、発電素子として作動しないことがある。
【００２９】
（発電素子の作製方法）
発電素子１０は、上記構成を備えるものであれば、各種の方法で作製することができる。図１に示す発電素子１０は、正極１と、ｐ型半導体層２と、強誘電体層３と、ｎ型半導体層４と、負極５とがその順で配置された構造形態であり、図２に示す発電素子１０は、正極１と負極５とが、ｐ型半導体層２と強誘電体層３とｎ型半導体層４とが混合したヘテロジャンクション構造である。
【００３０】
この発電素子１０の作製は特に限定されないが、正極１上に、ｎ型半導体層４、強誘電体層３、ｐ型半導体層２を順に形成する。ｐ型半導体層２は、ｐ型半導性高分子を例えば滴下または塗布して形成することができる。強誘電体層３とｎ型半導体層４は、それぞれの粒子を例えば加圧成形して形成することができる。
【００３１】
こうして作製された発電素子部材は、平面的な直列構造または並列構造になるように接続することができる。発電素子部材を直列接続して発電素子複合体を構成する場合、隣り合う発電素子部材の正極１と負極５とを、カシメ、圧接、ロウ付け等で接続して直列構造にすることができる。また、発電素子部材を並列接続して発電素子複合体を構成する場合、長く延びる電極に、発電素子部材の正極１と負極５をそれぞれ、カシメ、圧接、ロウ付け等で接続して並列構造にすることができる。
【００３２】
このような発電素子複合体は、複数の発電素子部材を接続して１次元的（直列配置）または二次元的（並列配置）に作製することができるが、厚さ方向に積層して三次元的な立体構造にすることもできる。
【００３３】
なお、乾電池型用の発電素子としてもよく、その場合、底のある正極管の中に、ｎ型半導体粒子や強誘電体粒子の投入と、ｐ型半導性高分子材料の滴下または塗布とを繰り返し、それらを層状に形成することができる。なお、負極棒は、ｎ型半導体層４と強誘電体層３とｐ型半導体層２との層状構造の形成前または形成後に、正極管の中央に、その正極管に接触しないようにして挿入すればよい。
【００３４】
発電素子部材や発電素子複合体において、発電素子１０に水分が侵入するのを避けることが好ましい。水分の侵入防止手段としては、周囲を封止材で充填したり、全体を封止材で覆ったりすることが好ましい。こうした水分の侵入防止手段により、発電素子１０の発電電流値の低下を抑制することができる。
【００３５】
（発電素子の具体例および性能）
本発明に用いる発電素子は、具体的には、図１に示す発電素子１０のような構成とすることができる。正極１は、厚さ０．２ｍｍ、縦１０ｍｍ、横１０ｍｍの平板状の銅部材とし、負極５は、厚さ０．２ｍｍ、縦１０ｍｍ、横１０ｍｍの平板状のアルミニウム部材とすることができる。負極５の上に、ニオブ酸リチウム粒子からなる厚さ２ｍｍのｎ型半導体層４を形成し、この強誘電性を有するｎ型半導体層４の上から、液状のｐ型半導性高分子であるポリ（３，４−エチレンジオキシチオフェン）−ポリ（スチレンスルホナート））を滴下し、ｎ型半導体層４上にｐ型半導体層２を設け、その上から負極５を載せて発電素子１０を作製することができる。以上のようにして、電極間抵抗が２５ｋΩとなる発電素子１０を得ることができる。
【００３６】
発電素子１０を恒温糟に入れ、負荷抵抗１０Ωを接続し、恒温層中の温度を変化させながら、発電素子１０の性能を評価すると、表１および表２に示すような結果を得ることができる。
【００３７】
【表１】
2016213909.tif 000003
【００３８】
【表２】
2016213909.tif 000004
【００３９】
以上、本発明に用いる発電素子は、従来の発電素子とは異なる新しい発電素子である。この発電素子は、高い電流を発生する発電現象を起こすことができ、特に恒温槽中で常温（例えば２５℃）から昇温することにより実現できる。
【００４０】
上述した発電素子を発電システムに設置する際は、ｐ型半導体と強誘電体とｎ型半導体とを混合した粉末を、銅などの正極板とアルミニウムなどの負極板とでラミネートして封止したバルク型の態様として、発電システムに備えることができる。
【００４１】
また、ｐ型半導体と強誘電体とｎ型半導体とを混合してペースト状にしたものを、銅などの正極板とアルミニウムなどの負極板とでラミネートしたフィルム型の態様として、発電システムに備えることもできる。
【００４２】
上記のようなバルク型またはフィルム型の発電素子は、数ｃｍ角のものを直列または並列に連結しても用いてもよいし、数ｍ角のものを直列または並列に連結して用いてもよい。
【００４３】
また、本発明に用いる発電素子は、任意の形状に成形できるため、発電素子を設置する基材の表面は、平坦である必要はなく、局面状であってもよいし、凹凸を有するものであってもよい。
【００４４】
なお、本発明に用いる発電素子を発電システムに設置する場合は、発電素子の近傍に吸熱性や保温性に優れる素材を設けると、発電素子の発電効率を高めることができる傾向にある。
【００４５】
本発明に用いる発電素子は、熱で発電する発電素子であるため、発電のために温度差を必要としない。そのため、本発明に用いる発電素子は、発電のために発電素子の冷却も必要としない。したがって、本発明に用いる発電素子を発電システムに設置する際には、発電素子の一部を冷却するための冷却機構を設ける必要がない。そのため、発電システムの構造を複雑化せずにすむとともに、発電システムにおいて発生する熱源に対して、比較的自由な態様で発電素子を設けることができる。
【００４６】
［被発酵物］
以下、本発明の発電システムに用いる被発酵物について説明するが、本発明の発電システムに用いる被発酵物は、これに限定されない。
【００４７】
本発明に用いる被発酵物は、発酵の際に発酵熱を生じ得るものであれば、特に限定されない。被発酵物の発酵熱の温度は、３０℃以上であることが好ましく、５０℃以上であることがより好ましく、７０℃以上であることがさらに好ましく、９０℃以上であることが特に好ましい。被発酵物の発酵熱の温度が３０℃未満であると、発電素子による発電量が低下する傾向にある。本発明に用いる発電素子は、発電素子に与えられる熱量が大きくなるほど、その発電量が増加する傾向にある。
【００４８】
本発明に用いる被発酵物は、堆肥を製造するための原料であることが好ましい。堆肥を製造する際には、堆肥の原料となる被発酵物の発酵によって、７０〜９０℃程度の温度が１〜３ヶ月程度持続する場合もあり、５０℃程度の温度が１年近く続く場合もある。そのため、堆肥を製造するための原料は、発電素子による発電のための熱源として好ましい。堆肥を製造する際の発酵熱を上昇させたり持続させたりするためには、至適生育温度が８０℃以上の超好熱菌を堆肥原料に添加したり、堆肥原料の撹拌や切り返しを適宜行うことが好ましい。
【００４９】
堆肥を製造するための原料となる被発酵物は、特に限定されないが、例えば、家畜糞尿、木材、生ごみ、籾殻、米糠、落葉、または藁などが挙げられる。これらの堆肥を製造するための原料は、堆肥の製造の際に、高温の発酵熱を長期間にわたり発生し続けるため、発電素子による発電のための熱源として好ましい。
【００５０】
被発酵物となる家畜糞尿は、特に限定されないが、例えば、牛糞、豚糞、鶏糞、または馬糞などが挙げられる。被発酵物となる木材は、特に限定されないが、例えば、樹皮（バーク）、大鋸屑、または竹などが挙げられる。
【００５１】
本発明に用いる被発酵物は、発酵食品を製造するための原料であってもよい。発酵食品を製造するための原料は、発酵食品を製造する際の発酵によって、３０℃以上に発熱し得るものであれば、本発明に用いる発電素子による発電のための熱源となることができる。発酵食品を製造するための原料となる被発酵物は、特に限定されないが、例えば、穀物、果物、乳製品、魚介、野菜、茶葉、または芋などが挙げられる。
【００５２】
被発酵物となる穀物は、特に限定されないが、例えば、清酒、蒸留酒、ならびに米麹などを製造するための米など、パンなどを製造するための小麦など、ビールなどを製造するための大麦など、または納豆、味噌、もしくは醤油などを製造するための大豆などが挙げられる。被発酵物となる果物は、特に限定されないが、例えば、ワインなどを製造するための、ブドウ、リンゴ、サクランボ、またはヤシの実などが挙げられる。被発酵物となる乳製品は、特に限定されないが、例えば、チーズ、またはヨーグルトなどを製造するための、牛乳、または豆乳などが挙げられる。その他、魚介、野菜、茶葉、または芋なども、発酵する際に３０℃以上に発熱し得るものであれば、本発明の発電システムに用いる被発酵物として利用することができる。
【００５３】
その他、本発明の発電システムに用いることができる被発酵物として、メタン、またはバイオエタノールなどが挙げられる。
【００５４】
［発電システム］
以下、上述した発電素子および被発酵物を備える本発明の発電システムについて説明するが、本発明の発電システムは、これに限定されない。
【００５５】
本発明の発電システムの一例を図３および図４に示す。図３に示す発電システムは、堆肥などの原料を大規模に発酵させる場合に用いることができる発電シート１００の模式図を表している。発電シート１００は、図４に示すように、堆肥など原料となる被発酵物１２０に対して、被せたり、挟み込んだり、下に敷いたりして、被発酵物１２０の発酵熱を利用して発電を行うことができる。
【００５６】
図３は、発電素子１０２を備えた発電シート１００の水平断面図を表す。図３の発電シート１００においては、複数の発電素子１０２が導線１０５によって連結されている。導線１０５は、発電素子１０２を構成する負極１０３および正極１０４に接続されている。発電素子１０２で発電された電力は、導線１０５を介して、蓄電装置１１０のバッテリー１１２に蓄電される。
【００５７】
発電素子１０２で発電された電力の電圧は、バッテリー１１２に蓄電される前に、ＤＣ／ＤＣコンバータ１１１によって、蓄電に適した電圧に変換される。また、バッテリー１１２には、蓄電量をモニタするための、蓄電量モニタ１１４が接続されていることが好ましい。
【００５８】
発電シート１００には、温度センサ１０６が複数設けられていることが好ましい。温度センサ１０６を設けることにより、発酵温度にムラがある場合は、より温度の高い場所に発電シート１００を移動させたりすることにより、発電効率を高めることができる。温度センサ１０６は、導線１０７によって、蓄電装置１１０の温度モニタ１１３に接続されている。温度モニタ１１３によって、被発酵物の温度を確認することができる。
【００５９】
発電素子１０２、導線１０５、温度センサ１０６、および導線１０７は、２枚のシート１０１によって挟まれて封止されている。シート１０１の素材は、熱伝導性が良好な素材であれば、特に限定されない。また、シート１０１の被発酵物に接する面は、耐食材料などでコーティングされていることが好ましい。
【００６０】
発電シート１００のシート面積は特に限定されないが、数ｍ角のシート面積とすることにより、大規模な発電をすることが可能となる。
【００６１】
発電シート１００によって発電を行う際には、図４に示すように、２組の発電シート１００ａおよび発電シート１００ｂで被発酵物１２０を覆うようにして発電を行うことができる。発電シート１００ａによって発電された電力は、導線１０５ａを介して蓄電装置１１０ａのバッテリーに蓄電される。また、発電シート１００ｂによって発電された電力は、導線１０５ｂを介して蓄電装置１１０ｂのバッテリーに蓄電される。
【００６２】
発電素子によって発電した電力は、原料となる被発酵物の破砕、混合、もしくは乾燥に用いる機械など、切返し、通気、もしくは移動のためのショベルローダもしくはコンベヤなど、ふるい分け、造粒、もしくは袋詰めのための装置など、または脱臭もしくは集塵のための設備など、堆肥の製造に用いる機械類の電力として用いることができる。このような構成とすることにより、従来よりも少ない電力で堆肥の製造を行うことができるようになるため、堆肥製造の省エネルギー化を実現することができる。
【００６３】
本発明の発電システムの一例を図５に示す。図５は、堆肥を工業的に製造するための装置の模式図を表している。堆肥製造装置３００は、原料容器３１０、撹拌容器３２０、および堆肥容器３３０を備え、堆肥製品３４０を製造する。
【００６４】
原料容器３１０においては、発酵用原料３１１を、原料投入口３１２に投入する。投入された発酵用原料３１１は、粉砕部３１３において細かく粉砕される。粉砕部３１３は、例えば、回転軸３１４に粉砕歯３１５を備える構成とすることができる。なお、発酵用原料３１１が、粉砕を要するほど大きなものでない場合は、粉砕部３１３を設けない態様としてもよい。
【００６５】
粉砕された発酵用原料３１１は、原料槽３１６に投入される。原料槽３１６の内壁３１７には、発電素子層３１８が設けられている。発酵用原料３１１が、原料槽３１６の中にある間に、発酵が開始されて発酵熱が生じるような場合には、発電素子層３１８の発電素子によって発電が行われる。
【００６６】
発酵用原料３１１は、原料容器３１０の原料排出口３１９から排出され、撹拌容器３２０の原料投入口３２１に投入される。原料排出口３１９には、発酵用原料３１１の排出を制御するための制御扉を設けることができる。また、原料排出口３１９の近傍には、発酵用原料３１１を原料排出口３１９へ送り出すための機構を設けることができる。
【００６７】
原料投入口３２１から撹拌槽３２２に投入された発酵用原料３１１は、回転軸３２３に設けられた撹拌翼３２４によって撹拌される。撹拌槽３２２の内壁には、発電素子層３２５が設けられている。発酵用原料３１１は、撹拌槽３２２の中で撹拌されることにより、好適に発酵して発酵熱を発生する。この発酵熱によって、発電素子層３２５の発電素子による発電が行われる。
【００６８】
撹拌槽３２２の上方には、排気口３２６が設けられていることが好ましい。排気口３２６を設けることにより、発酵により生じた気体や臭気を排気することが可能となる。排気された気体や臭気は、排気路３２７を通って撹拌容器３２０の外に排出される。
【００６９】
発酵用原料３１１は、撹拌槽３２２において発酵し、堆肥３３１となる。撹拌槽３２２の下方には、排出扉３２８が設けられており、自動または手動によって開閉する。排出扉３２８が開かれている場合は、堆肥３３１は、堆肥排出口３２９から排出され、堆肥容器３３０の堆肥槽３３２に投入される。
【００７０】
堆肥槽３３２の内壁３３３には、発電素子層３３４が備えられている。堆肥３３１が、堆肥槽３３２の中においても発酵していたり、または発酵熱が残っていたりするような場合には、発電素子層３３４の発電素子によって発電が行われる。
【００７１】
製造された堆肥３３１は、堆肥容器３３０の堆肥排出口３３５から排出され、堆肥製品３４０として袋詰めされて、小分けされる。
【００７２】
以上のように、被発酵物となる発酵用原料３１１を発酵させるための発酵槽となる原料槽３１６、撹拌槽３２２、および堆肥槽３３２の内壁に発電素子を設置することにより、発酵熱を利用した発酵を行うことができる。
【００７３】
なお、発酵槽の内壁に発電素子を設置する場合は、発酵槽の内側に発電素子を設置する態様としてもよいし、発酵槽の外側に発電素子を設置する態様としてもよい。発酵槽の内側に発電素子を設置する場合は、発電素子が発酵熱を受けやすくなり、発電効率が高くなる傾向にある。発酵槽の外側に発電素子を設置する場合は、発電素子に接続する導線等の配線が容易になる傾向にある。
【００７４】
また、発電素子層３１８、発電素子層３２５、および発電素子層３３４に用いる発電素子は、耐食材料で封止することが好ましい。耐食材料で発電素子を封止することにより、発電素子の劣化等を防止することができる。
【００７５】
発電素子を封止するための耐食材料は、特に限定されないが、例えば、プラスチックや金属合金など、種々の材料が挙げられる。
【００７６】
発電素子によって発電した電力は、撹拌容器３２０における撹拌のための電力など堆肥製造装置３００の稼働電力として用いることができる。また、発電素子によって発電した電力は、蓄電用のバッテリーを備えることにより、蓄電することができる。発電素子による発電量が少ない場合は、堆肥製造装置３００にバッテリーから電力を供給する態様としてもよい。また、発電素子またはバッテリーから堆肥製造装置３００に供給される電力量が少ない場合は、堆肥製造装置３００に外部電源から電力を供給する態様としてもよい。以上のような構成とすることにより、従来よりも少ない電力で発酵用原料の発酵を行うことができるようになるため、堆肥製造の省エネルギー化を実現することができる。
【００７７】
本発明の発電システムの一例を図６に示す。図６に示す発電システムは、家庭用の堆肥製造装置、いわゆるコンポストの模式図である。
【００７８】
図６に示すコンポスト４００は、図６（ａ）に示すように、蓋部４０１、外装部４０２を備える。コンポスト４００の撹拌槽４０３の中には、回転軸４０４に設けられた撹拌翼４０５が備えられている。
【００７９】
コンポスト４００の撹拌槽４０３には、図６（ｂ）に示すように、発酵用原料４０６を投入することができる。撹拌槽４０３においては、回転軸４０４が回転することにより、撹拌翼４０５が発酵用原料４０６を撹拌する。発酵用原料４０６が撹拌されることにより、発酵用原料４０６が好適に発酵し、発酵熱を発生する。
【００８０】
コンポスト４００の撹拌槽４０３の内壁に、図６（ｃ）に示すように、発電素子層４０７を設けることにより、発酵用原料４０６が発酵熱を発生する際に、発電素子層４０７の発電素子によって発電を行うことができる。
【００８１】
以上のように、被発酵物となる発酵用原料４０６を発酵させるための発酵槽となる撹拌槽４０３の内壁に発電素子を設置することにより、発酵熱を利用した発酵を行うことができる。
【００８２】
なお、発酵槽の内壁に発電素子を設置する場合は、発酵槽の内側に発電素子を設置する態様としてもよいし、発酵槽の外側に発電素子を設置する態様としてもよい。発酵槽の内側に発電素子を設置する場合は、発電素子が発酵熱を受けやすくなり、発電効率が高くなる傾向にある。発酵槽の外側に発電素子を設置する場合は、発電素子に接続する導線等の配線が容易になる傾向にある。
【００８３】
また、発電素子層４０７に用いる発電素子は、耐食材料で封止することが好ましい。耐食材料で発電素子を封止することにより、発電素子の劣化等を防止することができる。
【００８４】
発電素子を封止するための耐食材料は、特に限定されないが、例えば、プラスチックや金属合金など、種々の材料が挙げられる。
【００８５】
発電素子によって発電した電力は、コンポスト４００における撹拌のための電力等として用いることができる。また、発電素子によって発電した電力は、蓄電用のバッテリーを備えることにより、蓄電することができる。発電素子による発電量が少ない場合は、コンポスト４００にバッテリーから電力を供給する態様としてもよい。また、発電素子またはバッテリーからコンポスト４００に供給される電力量が少ない場合は、コンポスト４００に外部電源から電力を供給する態様としてもよい。以上のような構成とすることにより、従来よりも少ない電力で発酵用原料の発酵を行うことができるようになるため、堆肥製造の省エネルギー化を実現することができる。
【符号の説明】
【００８６】
１  正極（正極板）
２  ｐ型半導体層
３  強誘電体層
４  ｎ型半導体層
５  負極（負極板）
１０  発電素子
１１  基材
１２、１４、１６  発電素子
１３、１５、１７  接着剤
１００  発電シート
１０２  発電素子
１０５  導線
１０６  温度センサ
１１０  蓄電装置
１２０  被発酵物
３００  堆肥製造装置
３１０  原料容器
３１１  発酵用原料
３１８  発電素子層
３２０  撹拌容器
３２５  発電素子層
３３０  堆肥容器
３３１  堆肥
３３４  発電素子層
３４０  堆肥製品
４００  コンポスト
４０６  発酵用原料
４０７  発電素子層
【図１】
2016213909.tif 000005
【図２】
2016213909.tif 000006
【図３】
2016213909.tif 000007
【図４】
2016213909.tif 000008
【図５】
2016213909.tif 000009
【図６】
2016213909.tif 000010